(57)【要約】【課題】操作基板の種類を問わず、保持板金との間で十分な電気的接続がとられ、ユーザーが操作部材を押下操作した際に良好な操作感を得ることが可能な電子機器を提供すること。【解決手段】電子機器は、貫通穴が設けられた外装部材と、貫通穴に挿通され、押下操作可能な操作部材と、操作部材に対する押下操作に応じて押し下げられる操作スイッチと、操作スイッチが実装された基板と、外装部材に固定される保持部材と、を有し、基板は、外装部材と保持部材との間に挟持され、少なくとも一部が基板のグランドが露出した接触部を備え、保持部材は、接触部と接触する第１の凸部、および操作スイッチの押下方向の投影と重なるように設けられた第２の凸部を備える。【選択図】図４Ａ
2020155201.tif 000002
【特許請求の範囲】
【請求項１】
貫通穴が設けられた外装部材と、
前記貫通穴に挿通され、押下操作可能な操作部材と、
前記操作部材に対する押下操作に応じて押し下げられる操作スイッチと、
前記操作スイッチが実装された基板と、
前記外装部材に固定される保持部材と、を有し、
前記基板は、前記外装部材と前記保持部材との間に挟持され、少なくとも一部が前記基板のグランドが露出した接触部を備え、
前記保持部材は、前記接触部と接触する第１の凸部、および前記操作スイッチの押下方向の投影と重なるように設けられた第２の凸部を備えることを特徴とする電子機器。
【請求項２】
前記第１の凸部は、半抜き加工により形成されていることを特徴とする請求項１に記載の電子機器。
【請求項３】
前記第１の凸部の端面は、エッジ状に形成されていることを特徴とする請求項１または２に記載の電子機器。
【請求項４】
前記第２の凸部は、絞り加工により形成されていることを特徴とする請求項１から３のいずれか１項に記載の電子機器。
【請求項５】
前記第２の凸部の端面は、円弧状に形成されていることを特徴とする請求項１から４のいずれか１項に記載の電子機器。
【請求項６】
前記基板は、外部と電気的に導通可能なパターン露出部を備え、
前記第２の凸部は、前記露出部を避けるように設けられていることを特徴とする請求項１から５のいずれか１項に記載の電子機器。
【請求項７】
前記第２の凸部は、前記操作スイッチの押下方向において、前記操作スイッチの中心を通るように設けられていることを特徴とする請求項１から６のいずれか１項に記載の電子機器。
【請求項８】
前記操作スイッチは、複数の操作スイッチから構成され、
前記第２の凸部は、前記押下方向における前記複数の操作スイッチの投影と重なるように設けられていることを特徴とする請求項１から７のいずれか１項に記載の電子機器。
【請求項９】
前記操作スイッチは、１つの前記操作部材に対する押下操作に応じて押し下げられる第１操作スイッチと、複数の前記操作部材のそれぞれに対する押下操作に応じて押下げられる第２操作スイッチと、を備えることを特徴とする請求項８に記載の電子機器。
【請求項１０】
前記押下方向において、前記第１の凸部の高さは、前記第２の凸部の高さより高いことを特徴とする請求項１から９のいずれか１項に記載の電子機器。
【請求項１１】
前記保持部材は、固定部を介してネジにより前記外装部材に固定され、
前記第１の凸部は、前記固定部の周囲に形成されていることを特徴とする請求項１から１０のいずれか１項に記載の電子機器。
【発明の詳細な説明】
【技術分野】
【０００１】
本発明は、デジタルカメラやデジタルビデオカメラ等の電子機器に関し、外装部材に取り付けられた、押下操作可能な操作部材を有する電子機器に関する。
【背景技術】
【０００２】
従来、押下操作可能な操作部材を有するデジタルカメラが知られている。このような操作部材は、外装部材に設けられた貫通穴に挿通された操作部と、操作部が押下されることにより電気的に接続され、電気信号をデジタルカメラ本体に出力する、操作基板上に設けられた操作スイッチから構成される。また、操作スイッチの保持として操作基板の裏面に保持板金のような剛性のある部材を設けて、外装部材と保持板金との間で操作基板を挟持することにより、ユーザーが操作部を押下操作した際に、操作基板が必要以上に撓むことを防ぐことができる。
【０００３】
しかしながら、このような構成では、外装部材に設けられた貫通穴からの静電気が操作基板のグランドパターンまで侵入することがある。その際、操作基板のグランドパターンとデジタルカメラ本体のグランドに接続された保持板金との電気接続が不完全だと、操作スイッチへと静電気が流れてしまい、デジタルカメラが壊れてしまうおそれがある。そのため、保持板金をデジタルカメラ本体のグランドに電気的に接続させるとともに、操作基板と保持板金との間も電気的に接続させる必要がある。また、保持板金により操作スイッチの操作基板の裏面への投影面全面を保持することで、ユーザーが操作部材を押下操作した際に力のかかる箇所を受けられるため、操作感を良好とすることができる。
【０００４】
特許文献１では、基板と保持板金との間の電気的な接続を確実に実現させるために、基板を撓ませながら、基板のグランドパターンが露出されるパターン露出部を、保持板金に設けられた凸部に接触させる電子機器が開示されている。
【先行技術文献】
【特許文献】
【０００５】
【特許文献１】特開２０１３−６１３９５号公報
【発明の概要】
【発明が解決しようとする課題】
【０００６】
特許文献１の電子機器では、基板がＦＰＣ（Ｆｌｅｘｉｂｌｅ  Ｐｒｉｎｔｅｄ  Ｃｉｒｃｕｉｔ）である場合、基板を撓ませながらパターン露出部を凸部に接触させることは可能である。しかしながら、基板がハード基板である場合、基板を撓ませながらパターン露出部を凸部に接触させることは困難である。
【０００７】
本発明は、操作基板の種類を問わず、保持板金との間で十分な電気的接続がとられ、ユーザーが操作部材を押下操作した際に良好な操作感を得ることが可能な電子機器を提供することを目的とする。
【課題を解決するための手段】
【０００８】
本発明の一側面としての電子機器は、貫通穴が設けられた外装部材と、貫通穴に挿通され、押下操作可能な操作部材と、操作部材に対する押下操作に応じて押し下げられる操作スイッチと、操作スイッチが実装された基板と、外装部材に固定される保持部材と、を有し、基板は、外装部材と保持部材との間に挟持され、少なくとも一部が基板のグランドが露出した接触部を備え、保持部材は、接触部と接触する第１の凸部、および操作スイッチの押下方向の投影と重なるように設けられた第２の凸部を備えることを特徴とする。
【発明の効果】
【０００９】
本発明によれば、操作基板の種類を問わず、保持板金との間で十分な電気的接続がとられ、ユーザーが操作部材を押下操作した際に良好な操作感を得ることが可能な電子機器を提供することができる。
【図面の簡単な説明】
【００１０】
【図１】本実施例の実施形態に係る電子機器としての一例である撮像装置の外観斜視図である。
【図２】背面側把持部材の分解斜視図である。
【図３Ａ】回転操作部材の断面図である。
【図３Ｂ】第１の操作ボタンの断面図である。
【図４Ａ】背面側把持部材の背面図である。
【図４Ｂ】操作部基板および保持板金の分解斜視図である。
【図５】操作部基板および保持板金の正面図である。
【発明を実施するための形態】
【００１１】
以下、本発明の好ましい実施の形態を、添付の図面に基づいて詳細に説明する。各図において、同一の部材については同一の参照番号を付し、重複する説明は省略する。
【００１２】
図１は、本発明の実施形態に係る電子機器としての一例であるデジタルカメラ（撮像装置）１の外観斜視図である。図１（ａ）および図１（ｂ）はそれぞれ、正面側（被写体側）および背面側（ユーザー側）から見た図である。
【００１３】
電源ボタン１０１は、デジタルカメラ１の電源のＯＮ，ＯＦＦを行うために使用される。レリーズボタン１０２は、撮影準備および撮影開始を指示するために使用される。ズームレバー１０３は、レリーズボタン１０２の中心に対し、所定の角度まで回転可能であり、光学式変倍機能またはデジタル式変倍機能において、倍率を調節操作するために使用される。モードダイヤル１０４は、様々な撮影モードに切り替えるために使用される。露出補正ダイヤル１０５は、撮影画像の明るさの補正量を設定するために使用される。保護窓１０６は、ＡＦ補助光ＬＥＤを保護する。ストラップ取り付け部１０８，１０９は、ストラップ紐を挿通させる。グリップ部１１０は、ユーザーがデジタルカメラ１を保持しやすい形状となっている。
【００１４】
閃光発光装置２０は、解除レバー１０７を下方向へ移動させると、図１のデジタルカメラ１に収納されている状態から閃光部がポップアップし、閃光可能状態になる。回転操作部材ユニット３５は、沈胴式鏡筒レンズ５０の外周側に設けられ、各種パラメータの設定値を変更する際に操作される回転操作部材を備えている。
【００１５】
背面側把持部材（外装部材）４１は、リアカバーユニットの一部であり、グリップ部１１０の背面側上部を把持するために設けられている。背面側把持部材４１は、弾性部材とＰＣ（Ｐｏｌｙｃａｒｂｏｎａｔｅ）のような樹脂との一体成形にて構成されており、表面が弾性部材となっている。そのため、摩擦が高く、ユーザーが背面側把持部材４１に指を置いた際に滑りにくくなっている。
【００１６】
また、背面側把持部材４１には、第１の操作ボタン４５、第２の操作ボタン４６、回転操作部材４７および決定ボタン４８が設けられている。第１の操作ボタン４５および第２の操作ボタン４６を押下することで、例えばメニュー画面や、再生モードへの切替え等の各操作ボタンに割り当てられた機能を呼び出すことが可能となる。メニュー画面や再生モード時の画像等の様々な情報は、液晶表示部ユニット４２の表示部に表示される。回転操作部材４７は、円環状であり、回転操作、および上下左右の方向への押下操作が可能な操作部材である。回転操作部材４７は、第１の操作ボタン４５および第２の操作ボタン４６のうちいずれかに割り当てられた機能により、メニュー画面が選択され、表示部にメニューの各項目が表示された際に、各項目を選択可能である。決定ボタン４８は、回転操作部材４７の内側に設けられており、回転操作部材４７により選択された項目を実行するために使用される。
【００１７】
図２は、背面側把持部材４１の分解斜視図である。背面側把持部材４１の貫通穴４１ａには、第１の操作ボタン４５の操作部４５ａおよび第２の操作ボタン４６の操作部４６ａが挿通される。また、背面側把持部材４１の貫通穴４１ｂには、回転操作部材４７の回転操作部４７ａが挿通される。位置決め穴４５ｃおよび回転止め穴４５ｄは、第１の操作ボタン４５の腕部４５ｂの延長上に設けられ、背面側把持部材４１の不図示の位置決めボスに嵌合する。また、位置決め穴４６ｃおよび回転止め穴４６ｄは、第２の操作ボタン４６の腕部４６ｂの延長上に設けられ、背面側把持部材４１の不図示の位置決めボスに嵌合する。
【００１８】
基板６０には、押下式のスイッチ部材（操作スイッチ）６１、および上下左右の方向ボタンスイッチと回転操作部が一体化された回転操作ユニット６２が実装されている。回転操作ユニット６２には、回転操作部材４７および決定ボタン４８が組み込まれる。保持板金（保持部材）７０は、背面側把持部材４１にネジ９９により固定される。これにより、基板６０は、背面側把持部材４１と保持板金７０との間に挟持される。
【００１９】
図３Ａは、背面側把持部材４１に組み込まれた状態の回転操作部材４７の断面図である。回転操作部材４７は、回転操作ユニット６２に対して回転可能に配置されている。決定ボタン４８は、爪４８ａが回転操作ユニット６２の爪６２ａに嵌合され、押下可能に背面側把持部材４１に組み込まれている。回転操作部材４７は、回転操作ユニット６２と決定ボタン４８との間に挟持されている。回転操作部材４７は、回転操作可能であるとともに、押下操作されると、回転操作ユニット６２の押下ボタンスイッチ部６２ｂを押下し、方向ボタンとして機能する。
【００２０】
図３Ｂは、背面側把持部材４１に組み込まれた状態の第１の操作ボタン４５の断面図である。貫通穴４１ａに操作部４５ａが挿通され、位置決め穴４５ｃおよび回転止め穴４５ｄが固定され、第１の操作ボタン４５は腕部４５ｂで背面側把持部材４１に保持されている。第１の操作ボタン４５には、操作部４５ａと反対側の、デジタルカメラ１の内部側にボス形状４５ｅが設けられている。第１の操作ボタン４５は、ボス形状４５ｅの中心がスイッチ部材６１の中心と略同一軸上になるように配置されている。そのため、ユーザーが第１の操作ボタン４５を押下操作した際、ボス形状４５ｅがスイッチ部材６１を押下げる。この場合、スイッチ部材６１が電気的に導通状態となり、スイッチが押されたという信号が不図示の主基板に出力される。なお、本実施形態では、第１の操作ボタン４５について説明したが、第２の操作ボタン４６についても同様である。
【００２１】
以上の構成により、ユーザーが第１の操作ボタン４５、第２の操作ボタン４６、回転操作部材４７および決定ボタン４８の押下操作と、回転操作部材４７の回転操作とが可能となる。
【００２２】
図４Ａは、保持板金７０がネジ９９により固定された状態の背面側把持部材４１の背面図である。図４Ｂは、基板６０および保持板金７０の分解斜視図である。保持板金７０には、保持板金７０を背面側把持部材４１に固定するためのネジ止め固定部７０ｄが複数設けられている。また、保持板金７０には、ネジ止め固定部７０ｄの周囲に設けられており、基板６０側に凸形状となるように、金属プレスの半抜き加工により加工された第１の凸形状（第１の凸部）７０ａが設けられている。半抜き加工とは、板金を穴抜きのせん断加工を途中で止めて凸形状を形成する加工方法である。せん断加工を使用して形成されるため、凸形状の端面はエッジ状に形成されている。基板６０には、第１の凸形状７０ａが接触する接触面（接触部）６０ａが設けられている。接触面６０ａには絶縁層が形成されておらず、少なくとも一部には基板６０のグランドパターンである銅パターンが露出しているため、基板６０と保持板金７０との電気的な接触が可能である。本実施形態では、保持板金７０をネジ９９にて背面側把持部材４１に固定しているため、基板６０と保持板金７０との電気的な接触をより強固に確実に実現することができる。なお、図示されていないが、本実施形態では、保持板金７０は、デジタルカメラ本体のグランドに電気的に接続されている。
【００２３】
ユーザーが身体に静電気が溜まった状態で第１の操作ボタン４５および第２の操作ボタン４６等の操作部材を操作した場合、基板６０のグランドに静電気が伝わることがある。その場合、デジタルカメラ本体のグランドに電気的に接続された保持板金７０と、基板６０との電気的な接続が不完全であると、静電気がスイッチ部材６１や回転操作ユニット６２に流れ、デジタルカメラ１が壊れてしまうおそれがある。本実施形態では、静電気が各操作ボタンに沿って基板６０のグランドに流れた場合でも、接触面６０ａにおいて露出している基板６０のグランドから保持板金７０を伝ってデジタルカメラ本体のグランドへ静電気を逃がすことが可能である。また、図３Ｂに示されるように、操作ボタン４５には、フランジ部４５ｆが設けられている。フランジ部４５ｆは、その外形がスイッチ部材６１の外形よりも十分大きくなるように形成されている。そのため、貫通穴４１ａから伝わった静電気が直接、スイッチ部材６１の信号端子部に伝わることはない。また、回転操作ユニット６２の外装は、不図示の薄板の金属で覆われている。その金属は基板６０のグランドに接続されているため、静電気は金属に落ち、回転操作ユニット６２の信号端子部に直接、伝わることはない。
【００２４】
保持板金７０には、基板６０側に凸形状となるように、金属プレスの絞り加工により加工された第２の凸形状（第２の凸部）７０ｂが設けられている。第２の凸形状７０ｂは、第１の凸形状７０ａにより形成される、基板６０と保持板金７０との間の隙間と略同じ高さとなるように、または少し低くなるように設けられている。第２の凸形状７０ｂは、スイッチ部材６１や、回転操作ユニット６２の保持板金７０への投影と重なるように設けられている。すなわち、第２の凸形状７０ｂは、各操作ボタンの押下方向において各操作ボタンに重なるように設けられている。そのため、ユーザーが第１の操作ボタン４５、第２の操作ボタン４６、回転操作部材４７および決定ボタン４８を押下操作した場合、基板６０が撓もうとするが、第２の凸形状７０ｂが基板６０を保持するため、操作感を損なうことがない。
【００２５】
また、第１の凸形状７０ａは、第２の凸形状７０ｂに比べて基板６０の絶縁層の厚み以上高く構成されている。それにより、保持板金７０がネジ９９により背面側把持部材４１に固定された状態において、第２の凸形状７０ｂが基板６０を押し上げて不要な応力を発生させることを防ぐことができる。
【００２６】
また、第１の凸形状７０ａは、半抜き加工により作成されているため、加工上の円弧形状がなく、同じ大きさで絞り加工により形成された場合と比べて、より大きな範囲で接触面６０ａと接触することができる。すなわち、接触面６０ａに設けられたグランドパターンと保持板金７０との間で、より安定した電気的な導通を取ることが可能となっている。
【００２７】
また、第２の凸形状７０ｂは、絞り加工により形成されているため、第１の凸形状７０ａの端面に形成された鋭利なエッジ部に該当する箇所が滑らかな円弧状となっている。すなわち、第２の凸形状７０ｂには基板６０に接触する箇所に鋭利なエッジ部がない。そのため、ユーザーが各操作ボタンを押下操作した際に、第２の凸形状７０ｂが基板６０に傷をつけることで基板６０の内部の電気導通部が露出し、基板６０と保持板金７０がショートすることを防ぐことができる。
【００２８】
基板６０の裏面側であって、回転操作ユニット６２の投影に重なる場所に、コネクタ６３が実装されている。コネクタ６３は、不図示のデジタルカメラ本体の主基板に不図示のフレキ基板を介して接続されている。基板６０は、外部と電気的に導通可能なパターンが露出している部分であるスルーホール（パターン露出部）６０ｂを備える。保持板金７０には、コネクタ６３を避けるように切欠き部７０ｃが設けられている。第２の凸形状７０ｂも同様にコネクタ６３を避けるとともに、スルーホール６０ｂおよび不図示のその他のスルーホールを避けるように設けられている。
【００２９】
図５は、基板６０と保持板金７０のみを示している。破線は、第２の凸形状７０ｂを表している。ここで、紙面上側の２つのスイッチ部材６１は第１の操作ボタン４５押下時に操作されるスイッチであり、下側の２つのスイッチ部材６１は第２の操作ボタン４６押下時に操作されるスイッチである。第２の凸形状７０ｂは、保持板金７０に対する、スイッチ部材６１および回転操作ユニット６２の各操作ボタンの押下方向への投影を通過するように一体的に設けられている。第２の凸形状７０ｂが広範囲に渡り一体的に設けられているため、保持板金７０にコネクタ６３を避けるように切欠き７０ｃが構成されていても、保持板金７０全体の剛性を上げることができる。
【００３０】
また、第２の凸形状７０ｂは、スイッチ部材６１と回転操作ユニット６２の押下方向において、各部材の押下部の中心を通るように設けられている。これにより、第２の凸形状７０ｂは、ユーザーの押下操作時の力をより受けやすくなる。
【００３１】
なお、本実施形態では、本発明をデジタルカメラ１の背面に配置された操作ボタンに対して適用した場合について説明したが、本発明は場所に関係なく、押下式の操作ボタンであれば適用することができる。
【００３２】
以上、本発明の好ましい実施形態について説明したが、本発明はこれらの実施形態に限定されず、その要旨の範囲内で種々の変形及び変更が可能である。
【符号の説明】
【００３３】
１      デジタルカメラ（電子機器）
４１    背面側把持部材（外装部材）
４１ａ  貫通穴
４５    第１の操作ボタン（操作部材）
４６    第２の操作ボタン（操作部材）
６０    操作部基板（基板）
６０ａ  接触面（接触部）
６１    スイッチ部材（操作スイッチ）
７０    保持板金（保持部材）
７０ａ  第１の凸形状（第１の凸部）
７０ｂ  第２の凸形状
【図１】
2020155201.tif 000003
【図２】
2020155201.tif 000004
【図３Ａ】
2020155201.tif 000005
【図３Ｂ】
2020155201.tif 000006
【図４Ａ】
2020155201.tif 000007
【図４Ｂ】
2020155201.tif 000008
【図５】
2020155201.tif 000009